(57)【要約】【課題】  従来のよだれかけでは衣類の汚れ防止策ばかりで、幼児期の歯の生え時期のよだれや飲食時のこぼれなどによる皮膚の炎症等をあまり着目していなかった。また、衣類の汚れを防止するために首にきつく巻きつける必要もあった。また、幼児期のハイハイ時期では、よだれが床などあらゆるところに付いていた。これらの課題を解決する為のよだれかけを提供する。【解決手段】  該よだれかけは、口下近くから布がある為、飲み物やよだれなどすぐ吸収することができ、皮膚のかぶれや炎症が減る。また、布を折り返すことで再度使用でき、ギャザーがあるため衣類汚れ防止のための首にきつく巻く必要がなくなった。幼児や介護が必要な方には、簡単に調節も脱着もでき、洗濯も重なり部分が無いため、乾きやすい。出来上がりや見栄えも変わり、用途に応じて使い分けができる。また、防寒の役目も果たすことができる。【選択図】図１
0003133735.tif 000002
【実用新案登録請求の範囲】
【請求項１】
ほぼ四辺形の布に、対角線上の長角山きんに取付手段を設計。対角線からやや離れた位置に対角線に平行し、平ゴムを設けた。また布の裏側にも対角線からやや離れた位置に対角線に平行し、平ゴムを設けた。前記脱着手段には、面状ファスナであることを特徴としたよだれかけ。また、布は直接皮膚に触れてもやわらかい布が良いが、他の布でも代用できる。また、中央部よりやや離れた位置に平ゴムを縫い付けることで、中央部分がギャザーになるよだれかけ。
【請求項２】
長方形の布中央付近に取付手段を設計。中央部からやや離れた位置に平行し、平ゴムを設けた。また布の裏側にも中央部からやや離れた位置に平行し、平ゴムを設けた。前記脱着手段には、面状ファスナであることを特徴としたよだれかけ。また、布は直接皮膚に触れてもやわらかい布が良いが、他の布でも代用できる。また、中央部よりやや離れた位置に平ゴムを縫い付けることで、中央部分がギャザーになるよだれかけ。また中央線上には、短冊状の同布を設け、面上ファスナを設けてあるよだれかけ。
【考案の詳細な説明】
【技術分野】
【０００１】  本考案よだれかけは、簡単に装着でき、口付近から布があることで、口からでてきた物をいち早く吸い込むこともでき、皮膚の炎症などを軽減することが出来るとともに、衣類の汚れも防止できるようにした、よだれかけに関するものである。また該よだれかけは、直接肌に触れることを考慮し、タオル地のようなやわらかい生地としてあるが、他の生地でも代替できることを特徴とする。
【背景技術】
【０００２】  従来のよだれかけは、襟元にまとうことで、衣類を汚さないように襟元からかけるタイプか、エプロンタイプになっているものがほとんどになっている。そのため、幼児期の歯の生える時期の常にでてくるよだれや、飲食物が口から顎にかけてこぼれ、皮膚の炎症になったり、赤くかぶれたりすることを考えられてなかった場合がほとんどである。
【考案の開示】
【考案が解決しようとする課題】
【０００３】  従って、歯の生え時期の常にむずがゆく口よりでてくるよだれや、飲食物のこぼれが顎や首をぬらし、そのまま放置していたためにおこる皮膚のかぶれや赤くなるなどの炎症のことは、考えられていなかった。それによりどんな従来のよだれかけをしても、衣類を汚すことをふせぐ手段でしかなかった。また、幼児や介護の為に食事に付き添い口の周りの汚れをふき取っていても、何度も拭くことで、口のまわりや顎付近に炎症などをおこしていた。特に歯の生えてくる時期などは常によだれが出ているため、毎回よだれをふき取ってやることは難しい。また、ハイハイ時期でもある幼児は、よだれが床やあらゆる所に付着する。【０００４】  また、衣類を汚さない為につけられた従来のよだれかけも、長時間かけていると汚れる。常に替えのよだれかけをもっている必要があった。手持ちが無く、汚れているよだれかけを取ってしまえば、結局衣類を濡らしてしまう。また口のまわりから顎・首部分まで濡れ、後の皮膚の炎症、かぶれのきっかけを作っている。【０００５】  幼児のいる保育園や介護の必要な方のいる施設などでは、長タオルを半分におり、中央部にゴムを通す為の筒を作り、筒内にゴムを通し頭からかぶるタイプで使用するところもあるが、衣類が汚れないように首の部位はなるべくきつくする必要があった。また、洗濯をする際は、重なり合っている筒の部分は、乾きにくいという問題もあった。
【課題を解決するための手段】
【０００６】  本発明は、上記のような課題を解決するためになされたものである。第一の発明は、ほぼ四辺形の布に対角線上の長角山きんに取付手段を設計したよだれかけである。対角線からやや離れた位置に対角線に平行し、平ゴムを設けた。また布の裏側にも対角線からやや離れた位置に対角線に平行し、平ゴムを設けた。前記脱着手段には、面状ファスナであることを特徴としたよだれかけである。また、布は直接皮膚に触れてもやわらかい布が良いが、他の布でも代用できる。また、中央部よりやや離れた位置に平ゴムを縫い付けることで、中央部分がギャザーになるよだれかけとなっている。該よだれかけは、口付近にまで布があたっていることで皮膚の炎症が軽減され、いつも清潔でいられるようにした。また、２つ折りにし、中央部にギャザーを作ることで、衣類汚れ防止のための首にきつく巻きつける必要も無くなった。また、よだれかけがぬれたり汚れたりしても、２つ折りにしてあることで、再度きれいな布の表面が出てくることを考えついた。幼児や介護の必要な方の食事の際も、後ろが面状ファスナーになっている為、極めて簡単に脱着ができることから、１度に何人も世話をする人にとって、とても使いやすい。また該よだれかけはとても見栄えが良い為、ファッションの一部に見えたりとても映えるよだれかけ。普段装着する際には、特に効果があるよだれかけであるが、どの場面においても使用しても可能となっている。また、首を覆っている為、防寒の役目も果たす。【０００７】  第二の発明は、長方形の布中央線付近に取付手段を設計。中央線からやや離れた位置に平行し、平ゴムを設けた。また布の裏側にも中央線からやや離れた位置に平行し、平ゴムを設けた。前記脱着手段には、面状ファスナであることを特徴としたよだれかけである。また、布は直接皮膚に触れてもやわらかい布が良いが、他の布でも代用できる。また、中央部よりやや離れた位置に平ゴムを縫い付けることで、中央部分がギャザーになるよだれかけとなった。また中央線上には、短冊状の同布を設け、面上ファスナを設け、首の調節ができることを特徴とするよだれかけである。該よだれかけは、口付近にまで布があたっていることで皮膚の炎症が軽減され、いつも清潔でいられるようにした。また、２つ折りにし、中央部にギャザーを作ることで、衣類汚れ防止のための首にきつく巻きつける必要も無くなった。また、よだれかけがぬれたり汚れたりしても、２つ折りにしてあることで、再度きれいな布の表面が出てくることを考えついた。幼児や介護の必要な方の食事の際も、後ろが面上ファスナーになっている為、調節もしやすく、極めて簡単に脱着ができることから、１度に何人も世話をする人にとって、とても使いやすい。布の折り方を変えゴムを縫い付けるだけで、よだれかけのイメージが変わり、とくに食事中の際に使用すると特に効果があるが、どの場面でも使用可能とするよだれかけである。
【考案の効果】
【０００８】  第一発明のよだれかけは、ほぼ四辺形の布に対角線上の長角山きんに取付手段を設計したよだれかけである。対角線からやや離れた位置に対角線に平行し、平ゴムを設けた。また布の裏側にも対角線からやや離れた位置に対角線に平行し、平ゴムを設けた。前記脱着手段には、面状ファスナであることを特徴としたよだれかけである。また、布は直接皮膚に触れてもやわらかい布が良いが、他の布でも代用できる。また、中央部よりやや離れた位置に平ゴムを縫い付けることで、中央部分がギャザーになるよだれかけとなっている。該よだれかけは、中央から左右それぞれに表が見えないように、表と裏のそれぞれ互い違いに縫い付ける為、裏返ししたときにもゴムの表面が見えずに、ギャザーだけが表面に残るようにした。また、ギャザー部分顎付近まであるため、従来のよだれかけのように、衣類汚し防止のための首部分できつく巻きつける必要も無くなった。また皮膚の炎症などは、よだれや飲食物が口の周りや顎に放置され、濡れている為に起こりやすいので、該よだれかけは口下付近から布があるため、垂れてくるものをすぐ口下部分で食い止められる。そのためいつも皮膚がきれいで、ハイハイ時期のよだれが床やあらゆる場所に付き、不衛生になることも無くなった。該よだれかけは、布を２つ折りして使用するため、汚れた場合には裏側の布をめくって再度使用できるようにした。また、ゴムを左右それぞれ表と裏に縫い付けてあることで、ゴムを通すための筒が無く重ならない為、通常の布と同様に乾くことができるようになった。ほぼ四辺形の布を対角線に折り曲げて作成すれば、見栄えがいいため、歯の生える時期や長時間よだれかけをつけていたい時に役立つ。外出する際にも、該よだれかけではファッションの一部となり、おしゃれをしたママと一緒でも、よだれかけと思わせずにすむ。該よだれかけは、顎付近まで布で覆われている為、防寒の役目もする。【０００９】  第二発明のよだれかけは、長方形の布中央線付近に取付手段を設計。中央線からやや離れた位置に平行し、平ゴムを設けた。また布の裏側にも中央線からやや離れた位置に平行し、平ゴムを設けた。前記脱着手段には、面状ファスナであることを特徴としたよだれかけである。また、布は直接皮膚に触れてもやわらかい布が良いが、他の布でも代用できる。また、中央部よりやや離れた位置に平ゴムを縫い付けることで、中央部分がギャザーになるよだれかけとなった。また中央線上には、短冊状の同布を設け、面上ファスナを置く首の調節ができることを特徴とするよだれかけである。該よだれかけは、中央から左右それぞれに表が見えないように、表と裏のそれぞれ互い違いに縫い付ける為、裏返ししたときにもゴムの表面が見えずに、ギャザーだけが表面に残るようにした。また、ギャザー部分顎付近まであるため、従来のよだれかけのように、衣類汚し防止のための首部分できつく巻きつける必要も無くなった。また皮膚の炎症などは、よだれや飲食物が口の周りや顎に放置され、濡れている為に起こりやすいので、該よだれかけは口下付近から布があるため、垂れてくるものをすぐ口下部分で食い止められる。該よだれかけは、布を２つ折りして使用するため、汚れた場合には裏側の布をめくって再度使用��きるようにした。また、ゴムを左右それぞれ表と裏に縫い付けてあることで、ゴムを通すための筒が無く重ならない為、通常の布と同様に乾くことができるようになった。長方形の布を半分に折り曲げ作成したことで、布の覆われている部分が広いため、座って食事をするのに多くの食べこぼしや飲料類の垂れてくるのを防ぐことができ、役立つ。幼児や介護の必要な方の食事の際も、後ろが面上ファスナーになっている為、調節もしやすく、極めて簡単に脱着ができることから、１度に何人も世話をする人にとって、とても使いやすい。食事中の際に使用すると特に効果があるが、どの場面でも使用可能となり、あらゆる場面で効果があるよだれかけになった。
【実施例】
【００１０】以下、本発明の実施例を、図に基づいて説明する。
図１では、対角線にゴムを縫い付け、布を広げた際の図を示している。１は表側と裏側それぞれにに平ゴムを縫い付けてある。２は面状ファスナーの凹凸部を縫い付けてある。３は、布である
図２では、実際に着用しているときの様子である。
図３では、布の中央部からやや離れた位置にゴムを縫い付け、広げた際の図を示している。４では、表側と裏側に平ゴムを縫い付けてある。５は、面状ファスナーの凹凸部をそれぞれ縫い付けてある。６は布であるが、短冊状についてある中央部の布も同布を使用している。
図４では、実際に着用しているときの様子である。
【図面の簡単な説明】
【００１１】
0003133735.tif 000003
【符号の説明】
【００１２】    １．    １、４  平ゴム
２．    ２、５  面状ファスナー
３．    ３  ほぼ四辺形の布。
４．    ６  長方形の布、短冊状布も同布。
【図１】
0003133735.tif 000004
【図２】
0003133735.tif 000005
【図３】
0003133735.tif 000006
【図４】
0003133735.tif 000007
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
略四辺形の布の、少なくとも表面側の対角線上角部近傍に設けた一対の着脱手段と、前記対角線を挟み、かつ、該対角線より離れた位置に、該対角線と平行に設けた一対の平ゴムとを有することを特徴とするよだれかけ。
【請求項２】
略長方形の布の、少なくともとも表面側の長手方向中央部近傍に設けた一対の着脱手段と、前記中央部の中心線を挟み、かつ、該中心線より離れた位置に、該中心線と平行に設けた一対の平ゴムとを有することを特徴とするよだれかけ。
【手続補正２】
【補正対象書類名】明細書
【補正対象項目名】全文
【補正方法】変更
【補正の内容】
【考案の詳細な説明】
【技術分野】
【０００１】  本考案は、よだれかけに関し、さらに詳しくは乳幼児等の首に簡単に装着でき、吸湿性に優れた布を使用することにより口から出たよだれ等をすばやく吸収し、皮膚の炎症等を軽減できるとともに、衣類の汚れを防止できるようにしたファッション性に富むよだれかけに係るものである。
【背景技術】
【０００２】  従来のよだれかけは、襟元にまとうことで、衣類を汚さないように単に襟元からかけるタイプか、いわゆる通常のエプロンタイプになっているものが殆どである。
そのため、幼児期の歯の生える時期に常に出てくるよだれや、飲食物が口から顎にかけてこぼれ、皮膚の炎症になったり、赤くかぶれてしまったりする難点を有していた。
【考案の開示】
【考案が解決しようとする課題】
【０００３】  上記のように、乳幼児の歯の生え時期に当り、常にむずかゆく口から出てくるよだれや、飲食物のこぼれが顎や首を濡らし、通常、これらをそのまま放置していたため、皮膚のかぶれや赤く腫れるなどの炎症を惹起させていた。また、乳幼児や老人等の介護のために食事に付き添い、口の周りの汚れをふき取っていても、何度もそれを拭くことで、口の周りや顎の付近に炎症等を引き起こす場合があった。【０００４】  特に、乳幼児の歯の生えてくる時期に当り、常によだれが出てくるため、毎回それを拭き取ってやることは難しく、また、乳幼児のいわゆるハイハイ時期には、よだれの出る量が多く、床やあらゆる場所に付着してしまう。【０００５】  また、衣類を汚さないために着けられた従来のよだれかけも、長時間着用していると、必然的に汚れてくるので、外出時などには常に予備のよだれかけを持っている必要があった。手持ちのよだれかけが無く、現在装着しているよだれかけを外してしまえば、結果的に衣類を濡らしてしまう。また、口の周りから顎、首まで濡れ、後の皮膚の炎症、かぶれ等の原因となってしまっているのが現状である。【０００６】  一方、乳幼児のいる保育園や介護の必要な老人等が入所している施設などでは、長尺のタオルを半分に折り、その中央部に挿通部を設け、この挿通部にゴムを通して、頭からかぶるようにして使用することもあった。
しかしながら、かかるタイプのものでは、衣類が汚れないように首の部位になるべくきつく装着する必要があり、装着感が悪いことや布が重なり合って形成されている装着部が洗濯後に乾きにくいという問題もあった。
【課題を解決するための手段】
【０００６】  本考案は、上記のような課題を解決するためになされたもので、第１の考案は、略四辺形の布の、少なくとも表面側の対角線上角部近傍に設けた一対の着脱手段と、前記対角線を挟み、かつ、該対角線より離れた位置に、該対角線と平行に設けた一対の平ゴムとを有することを特徴とするよだれかけである。【０００７】  使用に際しては、前記布の対角線部分を三角巾状に折り畳んで、乳幼児などの首に巻き、例えば面状ファスナのような一対の着脱手段により首に留める。上記の構成で特にタオル地等の肌ざわり良い布を使用することで、装着感に優れるとともに、対角線と平行に設けた平ゴムにより、よだれかけを首に装着した際にギャザー部が形成される。このため、首等との接触面積が増大し、よだれ等をより効果的に吸収できるとともに、上記のギャザー部が口付近まで当たることにより口から出たよだれをすばやく吸収することができ、皮膚の炎症が軽減され、いつまでも口元等の身体を清潔に保つことができる。【０００８】  また、２つ折にした布の中央部にギャザー部を作ることで、衣類の汚れ防止のために首にきつく巻く必要がなくなり、装着感を損ねることも無くなる。さらに、よだれかけが濡れたり汚れたりしても、２つ折りしてある折り返し面を変えることによりきれいな面が再び出現し再利用することができる。【０００９】  本考案のよだれかけは、乳幼児や介護の必要な老人等の食事の際も、例えば面状ファスナ等の着脱手段によって取り付けようになっているので、きわめて簡単に着脱することができる。このため介護に当たる人の労力を軽減できるとともに、場合によっては被介護者の人数を増やすことができる。
さらに、首に密着して巻き付けられるため、冬季には防寒の役割を果たすとともにファッション性に優れ、見た目にも好感を抱かせることができる。【００１０】  第２の考案は、略長方形の布の、少なくとも表面側の長手方向中央部近傍に設けた一対の着脱手段と、前記中央部の中心線を挟み、かつ、該中心線より離れた位置に、該中心線と平行に設けた一対の平ゴムとを有することを特徴とするよだれかけである。【００１１】  第２の考案のよだれかけは、第１の考案のよだれかけのように、三角巾状に折り畳むことなく、略四辺形に折り畳むとともに、略長方形の布の長手方向中央部近傍に、例えば面状ファスナのような一対の着脱手段を設けたものである。【００１２】  上記の構成により、第１の考案と同様の効果を有する他に、特に布面積が大きくなるので、それだけよだれ等の吸収能力に優れるとともに、下端が平坦でかつギャザー部を有する今までに無い斬新性に富むデザインのよだれかけとなる。
【考案の効果】
【００１３】  本考案のよだれかけは、上記のように構成したので、概略以下のような効果を奏する。
（１）乳幼児等の首に、面状ファスナ等の一対の着脱手段によって取り付けるため、きわめて簡単に装着できるとともに、その取り外しも容易である。このため、介護者等の労力を軽減することができ、場合によっては被介護者の人数を増やすことも可能となる。
（２）口元付近に巻かれるため、よだれや口からこぼれた飲食物をすばやく、かつ、確実に捕捉することができる。
（３）上記により乳幼児等の皮膚の炎症やただれを極力抑制することができ、乳幼児等の健康維持に寄与する。
（４）首に密着して装着されるので、冬季には防寒の役目を果たすことができる。
（５）ギャザー部分の形成により布による皮膚への接触面積が増加し、当該皮膚を伝わって流れるよだれを確実に吸収することができる。
（６）ギャザー部分が斬新でファッション性に優れている。
（７）折り返し面を変えることにより、新しい布の面が出現するため、再度使用することができ、外出時等に何枚も用意する必要が無くなるとともに、咄
嗟の必要時に便利である。
（８）平ゴムによりギャザー部を形成し、従来のように布を二重にした挿通部を形成しないため、洗濯後の乾燥時には一枚の布に展開して干すことができ、乾きやすい利点を有する。
【実施例】
【００１４】  以下に、本考案の実施例を図に基づいて詳細に説明する。
図１は、本考案の第１の実施例を示すよだれかけである。
図において、１０は、よだれかけ全体を示し、このよだれかけ１０は、略四辺形の布３の、少なくとも表面側の対角線Ｔ上の角部近傍に一対の着脱手段２，２が設けられている。【００１５】  上記の布３として一般にタオル地を用いるが、特にこれに限定されるものではなく、柔軟性があり、肌触りが良く、吸湿性に富んで布であれば、いずれの布でも良い。
また、上記の着脱手段ついても、特に限定されるものではないが、例えば一対の面状ファスナを使用することができる。また、かかる面状ファスナも糸により布３に縫い付けても良いし、接着剤により固定しても良く、特に固定手段に限定されるものではない。【００１６】  前記の対角線Ｔを挟み、かつ、該対角線Ｔよりやや離れた位置に、該対角線Ｔと平行して一対の平ゴム１，１が設けてある。この平ゴム１，１も一般的には糸により布３に縫い付けるものであるが、特にその固定手段には限定されない。また、平ゴム１，１は少なくとも表面側にあれば良いが、強固かつ効果的なギャザー部を形成するために布３の裏面部にも設けるようにしても良い。【００１７】  図２は、上記のように構成のよだれかけ１０を乳幼児Ｍに装着した状態を示す正面図である。
すなわち、よだれかけ１０は、対角線Ｔを介して三角巾状に折り返し、平ゴム１の作用によりギャザー部７が形成され、このギャザー部７を乳幼児Ｍの首に巻き付け、その両端近傍に設けた一対の面状ファスナ等から成る着脱手段２，２を係合させることにより装着を完了する。【００１８】  図３は、本考案の第２の実施例を示すよだれかけの平面図である。
図において、２０は、よだれかけ全体を示し、このよだれかけ２０は、略長方形の布６の、少なくとも表面側の長手方向中央部近傍に設けた面状ファスナ等の一対の着脱手段５，５と、前記中央部の中心線Ｃを挟み、かつ、該中心線Ｃより離れた位置に、該中心線Ｃと平行して設けた一対の平ゴム４，４とを有している。
上記の平ゴム４，４は、第１の実施例と同様に、前記布６の裏面側にも設けるようにしても良い。
また、着脱手段５，５の一方を図示のように、布６からの中心線Ｃの延長線に設けるようにしても良い。【００１９】  図４は、上記第２の実施例のよだれかけ２０を乳幼児Ｍに装着した状態を示す正面図である。
すなわち、この第２の実施例のよだれかけ２０は、中心線Ｃのところで、例えば山折してギャザー部８を形成し、これを乳幼児Ｍの首に巻き付け、面状ファスナ等の一対の着脱手段５，５を係合させることにより装着を完了する。
【図面の簡単な説明】
【００２０】
【図１】図１は、本考案の第１の実施例を示す平面図である。
【図２】図２は、上記実施例により形成したよだれかけを乳幼児に装着した状態の正面図である。
【図３】図３は、本考案の第２の実施例を示す平面図である。
【図４】図４は、上記実施例により形成したよだれかけを乳幼児に装着した状態の正面図である。
【符号の説明】
１，４      平ゴム
２，５      着脱手段
３，６      布
７，８      ギャザー部
１０，２０  よだれかけ
【手続補正３】
【補正対象書類名】図面
【補正対象項目名】全図
【補正方法】変更
【補正の内容】
【図１】
0003133735.tif 000008
【図２】
0003133735.tif 000009
【図３】
0003133735.tif 000010
【図４】
0003133735.tif 000011